(57)【要約】【課題】消費者の五感に訴えて購買意欲を喚起する仕組みの構築に役立つグラスを提供する。【解決手段】グラス１１は、第１表面粗さを有する表面に、第１表面粗さよりも大きい第２表面粗さでざらつかせて彫刻された唇模様１２を有する。グラス１１の使用にあたって唇模様１２には口紅１５が塗られることができる。唇模様１２の溝およびざらつきによって口紅１５は良好にグラス１１の表面に付着する。【選択図】図２
2020202915.tif 000002
【特許請求の範囲】
【請求項１】
第１表面粗さを有する表面に、前記第１表面粗さよりも大きい第２表面粗さでざらつかせて彫刻された唇模様を有することを特徴とするグラス。
【請求項２】
請求項１に記載のグラスにおいて、前記唇模様はサンドブラストで彫刻されることを特徴とするグラス。
【請求項３】
請求項１または２に記載のグラスにおいて、前記唇模様の彫刻にあたって唇紋に基づき形成されるマスキングシートが用いられることを特徴とするグラス。
【発明の詳細な説明】
【技術分野】
【０００１】
本発明は、表面に唇模様を有するグラスに関する。
【背景技術】
【０００２】
例えば特許文献１に記載されるように、グラスに赤いキスマーク（唇模様）をプリントする技術は一般に知られる。ガラス素材に無機顔料で模様が着色されると、硬いもので擦ってもプリントは剥がれない。プリントの赤色は半永久的に退色しない。
【０００３】
唇紋は各自固有であって生涯にわたって変化しないことが知られる。したがって、唇紋に基づき唇模様がプリントされれば、そのひとに固有の唇の溝（皺）も再現されることができる。リアル感は演出されることができる。
【先行技術文献】
【特許文献】
【０００４】
【特許文献１】実用新案登録第３０１５３６３号公報
【発明の概要】
【発明が解決しようとする課題】
【０００５】
とはいえ、プリントはあくまでプリントであって、その程度のリアル感では消費者の購買意欲に結びついていない。今の時代、機能的にいかに優れていても、いかに優れた品質を有していても、それだけでは商品は売れない。ひとの心（感情）を動かす商品が強く求められる。そもそも、ひとは唇に艶めかしさを感じることから、唇模様が五感にさらに強く訴えるものであれば、消費者はもっと唇模様に惹かれると考えられる。消費者の購買意欲は喚起されると考えられる。
【０００６】
本発明は、好きな人を常に想いたいという情感を刺激し、消費者の五感に訴えて購買意欲を喚起する仕組みの構築に役立つグラスを提供することを目的とする。
【課題を解決するための手段】
【０００７】
本発明によれば、第１表面粗さを有する表面に、前記第１表面粗さよりも大きい第２表面粗さでざらつかせて彫刻された唇模様を有するグラスが提供される。
【０００８】
グラスの使用にあたって唇模様には口紅が塗られることができる。唇模様の溝およびざらつきによって口紅は良好にグラスの表面に付着する。口紅色に着色されることで視覚的に唇のリアル感は形成されることができる。塗られた口紅に触れれば、口紅の質感は得られることができる。こうして視覚的に、かつ、触感的に唇のリアル感は確保されることができる。唇の艶めかしさは演出されることができる。唇模様は消費者の五感に訴えて購買意欲を喚起する。仮に口紅に香りが付加されれば、視覚および触感に加えて嗅覚的にもリアル感は付与されることができる。唇模様はさらに強く消費者の五感に訴える。しかも、さらつきの周囲で口紅が拭き取られれば、表面粗さの差に応じて唇模様はくっきりと浮き立つことができる。
【０００９】
前記唇模様はサンドブラストで彫刻されればよい。サンドブラストの彫刻によれば、口紅が塗られなくても、良好な美感は得られる。彫刻にあたって既存のサンドブラスト彫刻機は利用されることができる。
【００１０】
前記唇模様の彫刻にあたって唇紋に基づき形成されるマスキングシートが用いられればよい。唇紋によれば、唇の溝（皺）はリアルに再現されることができる。唇模様の溝はざらつきに相俟って良好な口紅の付着に貢献することができる。こうして唇のリアル感はさらに強調されることができる。唇模様は消費者の五感に訴えて購買意欲を喚起する。
【発明の効果】
【００１１】
以上のように本発明によれば、消費者の五感に訴えて購買意欲を喚起する仕組みの構築に役立つグラスは提供されることができる。
【図面の簡単な説明】
【００１２】
【図１】本発明の一実施形態に係るグラスを概略的に示す全体図である。
【図２】使用時のグラスを概略的に示す全体図である。
【図３】グラスの製造方法を概略的に示す工程図である。
【発明を実施するための形態】
【００１３】
以下、添付図面を参照しつつ本発明の一実施形態を説明する。
【００１４】
図１は本実施形態の一具体例に係るグラス１１を概略的に示す。グラス１１は透明なガラス材から成形される。ガラス材は、周囲の映り込みを視認できる程度に滑らかな表面を有する。滑らかな表面は第１表面粗さで定義されることができる。グラス１１は、内側に決められた容量の液体を保持する形状に形作られる。
【００１５】
ガラス材の表面には唇に象られた模様（唇模様）１２が彫刻される。唇模様１２は、第１表面粗さよりも大きい第２表面粗さのざらつきでガラス材の表面に刻まれる。ざらつきは、光の乱反射でガラス材の透明度を阻害する程度の表面に相当する。
【００１６】
唇模様１２は、上唇１２ａと、上唇１２ａにギャップ１３を挟んで隣り合わせられる下唇１２ｂとを有する。唇模様１２は特定の人物の唇紋を反映する。上唇１２ａおよび下唇１２ｂには特定の人物に固有の溝（皺）１４が再現される。溝１４は、ひし形の溝、格子型の溝、分岐した溝、短い縦線の溝、および、長い縦線の溝を含む。グラス１１がテーブルに置かれた際に唇の上下は重力方向に一致する。唇の大きさは現物に対して１対１の縮尺を有する。唇模様１２はグラス１１の縁１１ａにできる限り近い位置に配置される。
【００１７】
図２に示されるように、グラス１１の使用にあたって唇模様１２には口紅１５が塗られる。唇模様１２の溝１４およびざらつきによって口紅１５は良好にグラス１１の表面に付着する。口紅色に着色されることで視覚的に唇のリアル感は形成されることができる。塗られた口紅１５に触れれば、口紅１５の質感は得られることができる。こうして視覚的に、かつ、触感的に唇のリアル感は確保される。唇の艶めかしさは演出される。唇模様１２は消費者の五感に訴えて購買意欲を喚起する。
【００１８】
特に、唇模様１２は特定の人物の唇紋を反映することから、その人物に愛着やら好意やらを抱くひとたちは唇模様１２に特別な艶めかしさを感じざるを得ない。そのひとたちは愛着やら好意やらに基づき唇模様１２に特に惹きつけられる。特に強い購買意欲は喚起されることができる。こうしたグラス１１は特定の人物のファン向けに重宝がられるかもしれない。
【００１９】
ここで、本発明者の観察によれば、単純にグラス１１の表面にざらつきが確立されるだけでは口紅１５のノリが悪いことが確認された。ざらつきだけでは視覚的に良好な美感が得られなかった。すなわち、唇模様１２の溝１４とざらつきとの組み合わせに応じて口紅１５は良好にグラス１１の表面に付着することが確認された。したがって、できるだけ唇紋が忠実に再現されることが望まれる。
【００２０】
口紅１５には香りが付加されてもよい。香りの付加にあたって口紅１５には香料や香り成分が添加されることができる。香りは例えば特定の人物に固有の香りであればなおよい。こうして唇模様１２に香りが付加されれば、視覚および触感に加えて嗅覚的にもリアル感は付与されることができる。唇模様１２はさらに強く消費者の五感に訴える。
【００２１】
口紅１５の塗布にあたって、さらつきの周囲で口紅１５は拭き取られることができる。拭き取りにあたって例えば織布や不織布が用いられることができる。第１表面粗さおよび第２表面粗さの差に応じて唇模様１２はくっきりと浮き立つことができる。
【００２２】
次にグラス１１の製造方法を説明する。図３（Ａ）に示されるように、まず、唇紋１７が採取される。採取にあたって唇に口紅が塗られる。白色の紙片１８に唇は押し当てられる。ここでは、唇は１平面で紙片１８に押し当てられてもよく、２つ折りされた紙片１８が上唇および下唇に挟まれてもよい。
【００２３】
唇紋１７はモノクロの２階調データに変換される。２階調データの作成にあたって唇紋１７は例えば電子データにスキャンされればよい。ここでは、口紅の赤色は黒色に変換される。溝（皺）の白色は白色に維持される。
【００２４】
図３（Ｂ）に示されるように、２階調データはマスキングシート１９に転写される。図
３（Ｃ）に示されるように、マスキングシート１９はグラス１１の表面に貼りつけられる。マスキングシート１９の範囲でグラス１１の表面にはサンドブラストが実施される。サンドブラストの実施にあたってサンドブラストガン２１が用いられればよい。サンドブラストガン２１には、高圧の空気圧を供給する空気圧源２２と、研磨剤の粒子を供給する研磨剤供給源２３とが接続される。高圧の空気圧に応じてマスキングシート１９の表面に研磨剤の粒子は叩きつけられる。研磨剤の粒子の働きでマスキングシート１９の黒色の領域はくり抜かれる。くり抜き部分でグラス１１の表面は削られる。こうしてグラス１１の表面はざらつく。くり抜き部分に沿って唇模様１２は彫刻される。唇模様１２が確立されると、マスキングシート１９はグラス１１から剥がされる。
【００２５】
こうしたサンドブラストの彫刻によれば、グラス１１の唇模様１２に口紅１５が塗られなくても、グラス１１では良好な美感は得られる。加えて、彫刻にあたって既存のサンドブラストガン２１（サンドブラスト彫刻機）は利用されることができる。新たな製造機械の開発は回避されることができる。
【００２６】
本実施形態では、唇模様１２の彫刻にあたって唇紋１７は採取される。唇紋１７によれば、唇の溝（皺）はリアルに再現されることができる。唇模様１２の溝１４はざらつきに相俟って良好な口紅１５の付着に貢献することができる。こうして唇のリアル感はさらに強調されることができる。唇模様１２は消費者の五感に訴えて購買意欲を喚起する。
【００２７】
ここでは、唇紋１７の採取に代わって唇の写真が用いられてもよい。スキャンに代わって唇の写真から画像データが取得されればよい。唇の画像データはモノクロの２階調データに変換される。このとき、唇には唇模様１２の溝１４が書き込まれるとよい。こうすることで唇紋の再現性は高められることができる。リアルに唇の繊細なタッチは表現されることができる。本発明者の観察によれば、写真から２階調データが作成される場合には、しばしば唇模様１２の溝１４が唇から失われてしまうことが見受けられた。
【符号の説明】
【００２８】
１１…グラス、１２…唇模様、１７…唇紋、１９…マスキングシート。
【図１】
2020202915.tif 000003
【図２】
2020202915.tif 000004
【図３】
2020202915.tif 000005